(57)【要約】【課題】テレビジョン方式の異なる地域等への海外旅行などに用いて好適な再生装置を提供することを目的とする。【解決手段】本発明の再生装置は、ＧＰＳ等から現在地に関する情報を入力し、記録媒体から画像データを再生して外部装置に出力する際に、再生画像データのテレビジョン方式を複数のテレビジョン放送方式から選択して、ＧＰＳによる現在地に関する情報に従って決定する。【選択図】　　　　図１
2004104586.tif 000002
【特許請求の範囲】
【請求項１】
再生画像の外部出力が可能な画像再生装置において、
現在地に関する情報を入力可能な入力手段と、
記録媒体から画像データを再生する再生手段と、
前記再生手段で再生された前記画像データを外部に出力する出力手段と、
前記出力手段から出力する前記画像データの出力方式を複数のテレビジョン放送方式から選択可能な選択手段と、
前記入力手段から入力された現在地に関する情報に従って、前記選択手段を制御する制御手段とを備えたことを特徴とする画像再生装置。
【請求項２】
再生画像の外部出力が可能な画像再生装置において、
現在地に関する情報を入力可能な入力手段と、
記録媒体から画像データを再生する再生手段と、
前記画像データに合成可能なキャラクタデータを生成するキャラクタ生成手段と、
前記再生手段で再生された前記画像データと前記キャラクタ生成手段で生成された前記キャラクタデータとを外部に出力する出力手段と、
前記出力手段から出力する前記画像データと前記キャラクタデータの出力方式を複数のテレビジョン放送方式から選択可能な選択手段と、
前記入力手段から入力された現在地に関する情報に従って、前記選択手段を制御する制御手段とを備えたことを特徴とする画像再生装置。
【請求項３】
請求項１または２において、前記入力手段はＧＰＳで受信した情報を元に前記現在地に関する情報を生成する測位手段から前記現在地に関する情報を入力することを特徴とする画像再生装置。
【請求項４】
請求項１または２において、前記制御手段は前記現在地に関する情報を基に現在地におけるテレビジョン放送方式を判断し、該当するテレビジョン放送方式を選択して出力するよう制御することを特徴とする画像再生装置。
【請求項５】
請求項１または２において、前記制御手段は前記現在地に関する情報を基に現在地におけるテレビジョン放送方式を判断し、該当しないテレビジョン放送方式での出力を禁止するよう制御することを特徴とする画像再生装置。
【請求項６】
請求項１または２において、さらに前記画像再生装置と一体型の表示手段を有し、前記表示手段に対しては前記現在地に関する情報に関わらず、前記再生画像データをそのままのテレビジョン放送方式で出力することを特徴とする画像再生装置。
【請求項７】
請求項２において、前記キャラクタ生成手段は文字情報の生成が可能であって、前記制御手段は前記現在地情報に基づいて、前記選択手段に対して前記文字情報の使用言語を変更可能であることを特徴とする画像再生装置。
【発明の詳細な説明】
【０００１】
【発明の属する技術分野】
本発明は、外部モニタ等へ再生画像の出力が可能な画像再生装置に関する。
【０００２】
【従来の技術】
従来、画像が記録再生できる記録再生装置として、デジタルビデオカメラやデジタルスチルカメラがある。
【０００３】
これらデジタルビデオカメラやデジタルスチルカメラは小型軽量で、携帯性に富んだ形態であるものが多く、ユーザが観光旅行等で利用することも多い。
【０００４】
そこで、電子機器やビデオカメラを海外旅行等で用いた際に、測位情報に基づいて時差や方式の自動修正が可能な装置が考えられている（例えば、特許文献１参照。）。
【０００５】
【特許文献１】
特開平９−２９７１９１号公報
【０００６】
【発明が解決しようとする課題】
しかしながら、上記従来例においては、電子機器全体を測位地点に対応した地域仕様に修正するため、測位手段を有する記録再生装置を旅行等で一時的に日本から放送方式の異なる欧州等に持ち出す場合、旅行中に記録した画像はＰＡＬ方式となる。そのため、日本に帰国した後画像を再生する場合には、ＰＡＬをＮＴＳＣに変換した画像をモニタに表示することになり、ＰＡＬからＮＴＳＣへの変換に伴うざらつきをもった画像しか見られない、といった問題がある。
【０００７】
本発明は上記の如き問題点を解決して、テレビジョン方式の異なる地域等への海外旅行などに用いて好適な再生装置を提供することを目的とする。
【０００８】
【課題を解決するための手段】
斯かる目的を達成する為の手段として、本発明は以下の構成からなる手段を有する。
【０００９】
本発明の再生装置は、現在地に関する情報を入力可能な入力手段と、記録媒体から画像データを再生する再生手段と、前記再生手段で再生された前記画像データを外部に出力する出力手段と、前記出力手段から出力する前記画像データの出力方式を複数のテレビジョン放送方式から選択可能な選択手段と、前記入力手段から入力された現在地に関する情報に従って、前記選択手段を制御する制御手段とを備えたことを特徴とする。
【００１０】
【発明の実施の形態】
以下、図面を参照しながら本発明の好適な実施の形態を説明する。
【００１１】
（第一の実施形態）
本発明の第一の実施形態における画像再生装置の構成を図１に示す。この実施例では、画像再生装置がＣＣＤ等の撮像素子からの信号をテープ、ディスク等の記録素子に記録する機能を持つ場合、即ちビデオカメラである場合について説明する。
【００１２】
ＣＣＤ１で光電変換された信号は、前処理回路２でノイズ除去、利得調整等の処理を行い、ＡＤ変換器３でアナログ−ディジタル（ＡＤ）変換を行う。さらに、カメラ信号処理回路４でアパーチャ補正、ガンマ補正等の信号処理を行う。カメラ信号処理回路４の出力信号は、合成器８で日本語キャラジェネ器２１で発生させた文字と合成され、ＤＡ変換器１０でアナログ信号に変換し、液晶モニタ１２に撮影中の画像を表示する。同時にカメラ信号処理回路４の出力は、放送方式変換回路７で必要があれば、例えばＮＴＳＣ信号をＰＡＬ信号に変換し、日本語キャラジェネ器２１と英語キャラジェネ器２２の出力の一方を選択器２３で選択し、合成器９で選択器２３の出力と合成され、ＤＡ変換器１１でアナログ信号に変換し、出力端子１３より外部機器に信号を供給する。
【００１３】
ＣＣＤ１で取り込んだ画像を記録する際には、カメラ信号処理回路４からレコーダ信号処理回路５に信号を送り、信号を記録するための符号化等の処理を行ったのち、記録素子６に記録する。
【００１４】
記録素子６の信号を再生する際には、レコーダ信号処理回路５で復号化等の処理を行い、カメラ信号処理回路４を経由して、上述の動作で再生画像を液晶モニタ１２、出力端子１３に送る。
【００１５】
次に、測位情報を元に、外部機器へ送る信号を変換する際の動作を、図３のフローチャートと共に説明する。入力キー１８で再生動作を指示すると（ステップ１：Ｓ１）（以下、単にＳ１、Ｓ２、と称す）、演算処理装置１９の命令で通信を開始し、アンテナ１４で衛星からの電波を受ける（Ｓ２）。ＧＰＳ（Ｇｌｏｂａｌ　Ｐｏｓｉｔｉｏｎｉｎｇ　Ｓｙｓｔｅｍ）インターフェイス回路１５で緯度、経度等の位置情報を演算処理装置１９が必要とするデータ形式に変換し、データバス２０を介して演算処理装置１９に送る。演算処理装置１９から、データバス２０を介して位置情報を記憶素子インターフェイス回路１７に送り、位置情報に基づきＣＤ−ＲＯＭ等の記憶素子１６を検索する（Ｓ３）。記憶素子１６には、位置情報とそれに対応する放送方式、及び使用言語が記憶されており、現在位置を元に放送方式と使用言語を検出する（Ｓ４）。これらのデータは、記憶素子インターフェイス回路１７からデータバス２０を介して演算処理装置１９に送られる。次に、接続状態判別回路２４で出力端子１３のインピーダンスをみて、開放されているのか、外部モニタが接続されているのかを判別し、この結果をデータバス２０経由で演算処理装置１９に送る（Ｓ５）。外部モニタが接続していなければ、キャラジェネ２１，２２、放送方式変換回路７に関する判断は行わない。外部モニタが接続されていれば、記憶素子１６の検索結果より放送方式を判断し（Ｓ６）、例えば、普段、日本で使用している機器が、現在ＮＴＳＣの地域にあると判断されれば、演算処理装置１９の命令により、放送方式変換回路７は動作させず、カメラ信号処理回路４の出力をＮＴＳＣのまま合成器９に送る。現在ＰＡＬ地域にいると判断されたら、放送方式変換回路７を駆動してＮＴＳＣをＰＡＬに変換する（Ｓ７）。次に、Ｓ８で現在位置での使用言語を判断し、日本語圏にいれば、選択器２３で日本語キャラジェネ器２１の出力を選択し（Ｓ９）、それ以外の地域にいれば、選択器２３で英語キャラジェネ器２２の出力を選択し（Ｓ１０）、合成器９でカメラ信号処理回路４の出力と合成するように再生を開始し（Ｓ１１）、衛星との通信を終了する（Ｓ１２）。
【００１６】
この実施例では、図５に示すように、本発明である測位手段を有する画像再生装置５０が、出力端子１３から接続ケーブル５１を介して外部モニタ５２と接続されているとき、使用地域に関わらず、液晶モニタ１２には、図６（ａ）のように、日本語字幕がＮＴＳＣ画像と共に映し出される。この例では、現在のモード（再生モード）、テープの経過時間、テープの記録モード、音量を示しているが、これらに限ったわけではない。使用地域が例えば欧州であれば、外部モニタ５２には、図６（ｂ）のように英語字幕がＰＡＬ画像と共に映し出される。使用地域が米国であれば、外部モニタには、図６（ｂ）のように英語字幕がＮＴＳＣ画像と共に映し出される。液晶モニタ１２と外部モニタ５２には同時に画像を表示することが可能である。
【００１７】
（第二の実施形態）
本発明の第二の実施形態における画像再生装置の構成を図２に、動作を表すフローチャートを図４に示す。本発明の第一の実施形態では、キャラジェネを日本語と英語に限定して説明したが、この第二の実施形態では、この他にハングルキャラジェネ２５、スペイン語キャラジェネ２６を設けている。使用言語はこれらに限ったものではなく、いかなる言語のキャラジェネを使用してもよい。
【００１８】
第一の実施形態では、図３のＳ２〜Ｓ４に示す測位衛星との通信を行った後に、Ｓ５で外部モニタの接続の有無を判断しているが、この実施例では、図４に示すように、外部モニタの接続の有無を判断した後に、外部モニタが接続されている場合に測位衛星との通信を行う。他の動作は第一の実施形態と同様である。また放送方式は、ＮＴＳＣからＰＡＬへの変換のみならず、ＳＥＣＡＭに変換する機能を盛り込んでもよい。また、第一の実施形態では、日本向けに生産された測位手段を有する画像再生装置５０が、国外で使用する例を挙げ、放送方式変換回路７では、ＮＴＳＣからＰＡＬへの変換を行うが、欧州向けに生産された測位手段を有する画像再生装置５０を日本もしくは米国等へ持ち出して使用する際は、放送方式変換回路７では、ＰＡＬからＮＴＳＣへの変換を行う。
【００１９】
【発明の効果】
以上説明したように本発明によれば、再生場所に応じて最適な画像およびキャラクタの再生が可能である。
【図面の簡単な説明】
【図１】本発明の第一の実施形態における画像再生装置の構成を表す図。
【図２】本発明の第二の実施形態における画像再生装置の構成を表す図。
【図３】本発明の第一の実施形態の動作を表すフローチャート。
【図４】本発明の第二の実施形態の動作を表すフローチャート。
【図５】本発明の測位手段を有する画像再生装置と外部モニタとの接続を表す図。
【図６】（ａ）、（ｂ）は本発明の文字情報の表示を表す図。
【符号の説明】
７　放送方式変換回路
１２　ＬＣＤモニタ
１３　出力端子
１４　アンテナ
１５　ＧＰＳインタフェース回路
２１　日本語用キャラジェネ
２２　英語用キャラジェネ
５０　画像再生装置（ビデオカメラ）
５１　接続ケーブル
５２　外部モニタ
【図１】
2004104586.tif 000003
【図２】
2004104586.tif 000004
【図３】
2004104586.tif 000005
【図４】
2004104586.tif 000006
【図５】
2004104586.tif 000007
【図６】
2004104586.tif 000008